(57)【要約】【課題】玄関ドアに関し、扉本体をドア枠に装着するだけで、別途の配線工事を要することなく、必要時に戸外の訪問者等を撮影することを目的とする。【解決手段】扉本体１に呼び鈴の操作部２、撮影許可スイッチ３、撮影制御部４、および撮影制御部４からの撮影開始信号の受領により撮影動作が開始されて戸外を撮影するデジタル撮影部５を組み込んでなり、  前記撮影制御部４が、前記撮影許可スイッチ３投入下での呼び鈴操作部２への操作を撮影開始信号の出力条件とするように構成する。【選択図】  図１
2009044614.tif 000002
【特許請求の範囲】
【請求項１】
扉本体に呼び鈴の操作部、撮影許可スイッチ、撮影制御部、および撮影制御部からの撮影開始信号の受領により撮影動作が開始されて戸外を撮影するデジタル撮影部を組み込んでなり、
前記撮影制御部が、前記撮影許可スイッチ投入下での呼び鈴操作部への操作を撮影開始信号の出力条件とする玄関ドア。
【請求項２】
前記撮影許可スイッチは、扉本体の戸外側からの施錠操作に同期して投入される請求項１記載の玄関ドア。
【請求項３】
入力されたＩＤ情報により操作者のアクセス権を認証する認証装置と、
認証装置における認証成立を解錠駆動時の条件とする電気錠と、
認証装置における認証不成立を条件に戸外の撮影を開始するデジタル撮影部と、
を扉本体に組み込んだ玄関ドア。
【請求項４】
錠装置を備えた扉本体に撮影制御部、および撮影制御部からの撮影開始信号の受領により撮影動作が開始されて戸外を撮影するデジタル撮影部を組み込んでなり、
前記撮影制御部が、扉本体の戸外側壁面、あるいはその周辺に配置される人感センサからの人検出信号が所定時間継続した際に撮影開始信号を出力する玄関ドア。
【請求項５】
戸内外壁面に開放されるスコープ用透孔を備えた扉本体と、
扉本体内に固定されて戸外を撮影可能なデジタル撮影部と、
扉本体に固定され、前記スコープ用透孔の戸外側開放部からの入射光を分割するハーフプリズムとを有し、
前記ハーフプリズムによる分割光の一方をデジタル撮影部に、他方をスコープ用透孔の戸内側開放部に導いてスコープ用透孔を使用した戸外の目視と撮影を可能にした玄関ドア。
【請求項６】
扉本体に固定される操作ハンドル装置を有し、
前記操作ハンドル装置には、前記デジタル撮影部における取得画像を記憶する可搬型記憶媒体の装着部が形成される請求項１から５のいずれかに記載の玄関ドア。
【発明の詳細な説明】
【技術分野】
【０００１】
本発明は、玄関ドアに関するものである。
【背景技術】
【０００２】
訪問者を撮影可能な玄関ドアとしては、特許文献１に記載のものが知られている。この従来例において、玄関ドアは、扉本体の室内側壁面にデジタルカメラとフレキシブルディスク装置、および液晶表示装置を固定して構成される。
【０００３】
デジタルカメラは、レンズを扉本体の覗き窓に向けて固定され、液晶表示装置で確認した訪問者をデジタルカメラにより撮影し、必要に応じフレキシブルディスク装置に記憶することができる。
【特許文献１】特開２０００-２０６５９３号公報
【発明の開示】
【発明が解決しようとする課題】
【０００４】
しかし、上述した従来例において、デジタルカメラによる撮影に際しては、液晶表示装置により訪問者を確認した後、デジタルカメラのシャッタを押す操作が必要であり、使い勝手が悪いという欠点がある。この問題は、例えば、戸外に配置した呼び鈴等の押下操作にデジタルカメラのシャッタを同期させることにより解消することができるが、この場合、別途デジタルカメラの撮影制御部と呼び鈴等との配線作業等を要する上に、撮影動作は、全ての呼び鈴押下動作に対応して行われるために、無駄な画像が多くなり、撮影画像の確認に手間取るという欠点がある。
【０００５】
また、上述した従来例において、戸外での訪問者を確認するためには、一旦デジタルカメラを起動して液晶表示装置に訪問者を映し出す必要があり、使い勝手が悪いという欠点がある。
【０００６】
本発明は、以上の欠点を解消すべくなされたものであって、扉本体をドア枠に装着するだけで、別途の配線工事を要することなく、必要時に戸外の訪問者等を撮影することが可能な玄関ドアの提供を目的とする。
【０００７】
また、本発明の他の目的は、撮影部を起動することなく扉本体のスコープ用透孔を利用して直接戸外の訪問者等を目視することのできる玄関ドアの提供にある。
【課題を解決するための手段】
【０００８】
玄関ドアは、操作により呼び鈴を鳴動させる呼び鈴操作部２、撮影許可スイッチ３、撮影制御部４、および撮影制御部４からの撮影開始信号の受領により撮影動作が開始されて戸外を撮影するデジタル撮影部５を扉本体１に組み込んで形成される。扉本体１には手動、あるいは適宜のアクチュエータにより駆動される錠装置が固定され、錠装置が施錠状態にあるときに、扉本体１を閉扉姿勢に拘束し、解錠状態において拘束解除する。
【０００９】
デジタル撮影部５は、デジタルスチルカメラ、あるいはデジタルビデオカメラ等のいわゆるデジタルカメラの光学系、イメージセンサ５ｂ、およびカメラ制御回路５ａを備え、例えば、撮影制御部４が構築される実装基板５ｃ上に光学系等を固定して構成することができる。
【００１０】
撮影制御部４は、上記撮影許可スイッチ３投入状態において呼び鈴操作部２が操作されたとき、あるいはこの後、所定時間経過した後に撮影開始信号を出力し、デジタル撮影部５での撮影が行われる。
【００１１】
デジタル撮影部５での撮影を、利用者による撮影許可スイッチ３投入状態と、訪問者による呼び鈴操作部２への操作に関連付ける本発明において、利用者が望んだ状況下でのみ撮影を行うことが可能になる。この結果、多数の不必要な画像を撮影することによる画像チェックの手間等を省くことができる上に、条件成立により撮影が開始されるために、利用者は撮影のたびにデジタル撮影部５を操作する必要がなく、使い勝手が向上する。
【００１２】
また、デジタル撮影部５と各構成部品とが同一の扉本体１に結線して組み込まれるているために、扉本体１をドア枠１５ａに装着するだけで格別の配線操作を行うことなく訪問者等を撮影することができる。
【００１３】
撮影許可スイッチ３は、種々の場面で撮影機会を制限するために使用することができるが、外出の際に撮影許可スイッチ３を投入状態とするようにした場合には、外出時の訪問者のみに限って撮影を行うことが可能になる。この場合、利用者が外出時に、扉本体１の戸内側壁面、あるいは戸外側壁面に配置した撮影許可スイッチ３を手動で操作するように構成することも可能であるが、外出時に必須な施錠操作に撮影許可スイッチ３の投入操作を連動させると、利用者による別途の操作が不要となる。
【００１４】
施錠操作に連動した撮影許可スイッチ３は、例えば、玄関ドアの操作ハンドル装置１１に組み込むことができる。この場合、操作ハンドル装置１１は、外出時に所定の操作をすることにより錠装置を施錠状態に移行させることのできるように形成されて戸外側壁面に固定され、撮影許可スイッチ３は、この操作ハンドル装置１１による施錠操作を検出するためのスイッチとして構成される。
【００１５】
また、撮影許可スイッチ３は、デッドボルト等の施錠体の検知スイッチとして構成することができ、この場合、施錠体は、戸内側の操作により駆動される施錠体とは別途に設けられ、戸内側の操作による施錠操作による撮影許可スイッチ３への投入が防止される。
【００１６】
以上においては、撮影機会を外出時等、利用者による選択によって制限することにより無駄な撮影を防止したデジタル撮影部５を格納した玄関ドアが提供されているが、認証装置６における認証結果により撮影機会を制限することによって、無駄な撮影を防止することもできる。この場合、玄関ドアは、
入力されたＩＤ情報により操作者のアクセス権を認証する認証装置６と、
認証装置６における認証成立を解錠駆動時の条件とする電気錠７と、
認証装置６における認証不成立を条件に戸外の撮影を開始するデジタル撮影部５と、
を扉本体１に組み込んで構成される。
【００１７】
上記認証装置６は、少なくとも上記電気錠７への解錠操作に際して入力されたＩＤ情報と予め登録されたＩＤ情報とを比較し、両者の一致を条件に認証成立信号を発行する。認証装置６には、ユーザが暗唱している符号等をＩＤ情報とするもの、あるいはユーザの指紋等をＩＤ情報とする生体認証装置６が使用できる。
【００１８】
デジタル撮影部５での撮影を、扉本体１への開放操作時に操作する必要のある認証装置６からの認証不成立信号の出力に関連付ける本発明において、扉本体１に対する意識的な開放操作者のみを確実に撮影し、不要な撮影を制限することが可能になる。
【００１９】
さらに、玄関ドアを、
錠装置を備えた扉本体１に撮影制御部４、および撮影制御部４からの撮影開始信号の受領により撮影動作が開始されて戸外を撮影するデジタル撮影部５を組み込んでなり、
前記撮影制御部４が、扉本体１の戸外側壁面、あるいはその周辺に配置される人感センサ８からの人検知出力が所定時間継続した際に撮影開始信号を出力するように構成した場合には、撮影対象を、玄関ドア前に所定時間立ち止まっている訪問者のみに絞ることができるために、無駄な撮影を防止できる。
【００２０】
加えて、
戸内外壁面に開放されるスコープ用透孔９を備えた扉本体１と、
扉本体１内に固定されて戸外を撮影可能なデジタル撮影部５と、
扉本体１に固定され、前記スコープ用透孔９の戸外側開放部からの入射光を分割するハーフプリズム１０とを有し、
前記ハーフプリズム１０による分割光の一方をデジタル撮影部５に、他方をスコープ用透孔９の戸内側開放部に導いてスコープ用透孔９を使用した戸外の目視と撮影を可能にした玄関ドアを構成した場合には、
デジタル撮影部５用とは別に戸外目視用にスコープ用透孔９を新たに設ける必要がなく、スコープ用透孔９越しに直接戸外の様子を見ることができるために使い勝手が向上する。また、同一の戸外側開放部からの入射光を使って目視と撮影とが行われるため、目視対象と撮影対象とを完全に一致させることができ、撮影対象を正確に特定することができる。
【発明の効果】
【００２１】
本発明によれば、扉本体をドア枠に装着するだけで、別途の配線工事を要することなく、必要時に戸外の訪問者等を撮影することができる。
【発明を実施するための最良の形態】
【００２２】
図１、２に示すように、玄関ドアは、蝶番１４等を使用して建物駆体１５側のドア枠１５ａに連結される木製、あるいは金属製の扉本体１を有する。扉本体１には、ラッチ７ａと、第１、第２のデッドボルト７ｂ、７ｃとを備えた電気錠７が固定される。第１、第２のデッドボルト７ｂ、７ｃは、モータ等のアクチュエータ（図示せず）によりドア枠１５ａに向けて進退駆動され、ラッチ７ａは、扉本体１の回転端側端面から突出してドア枠１５ａに係止して閉扉状態を維持する。
【００２３】
電気錠７は、扉本体１の内部空間を利用して布線される扉内配線１６を介して接続されるコントロール回路１７により制御される。コントロール回路１７は、図４に示すように、ＣＰＵ１８に制御される錠駆動部１９を有し、電気錠７の第１、第２のデッドボルト７ｂ、７ｃは、錠駆動部１９にセットされた施錠用ドライブ信号により施錠駆動され、解錠用ドライブ信号により解錠駆動される。
【００２４】
また、第２のデッドボルト７ｃの出没状態は第２のデッドボルト用センサ（撮影許可スイッチ３）により監視されており、当該第２のデッドボルト用センサ３に接続されるコントロール回路１７の状態監視部２０が第２のデッドボルト７ｃの突出、すなわち、施錠状態への移行を検知すると、撮影許可フラグをセットし、第２のデッドボルト７ｃの解錠状態への移行を検知すると、撮影許可フラグをクリアする。
【００２５】
１１は扉本体１の戸内外壁面に固定される操作ハンドル装置で、ベース体１１ａに開閉操作時の手掛けとなる操作ハンドル１１ｂを連結して形成される。操作ハンドル１１ｂは、図１、２に示す中立位置から下方向に回転操作可能であり、回転操作することにより、上記ラッチ７ａのドア枠１５ａとの係止を解除することができる。
【００２６】
また、戸外側壁面に固定される操作ハンドル装置１１の操作ハンドル１１ｂは、図１に示すように、上方への回転操作が可能であり、コントロール回路１７は、操作ハンドル１１ｂの上方への回転操作を検出すると、錠駆動部１９から第２のデッドボルト７ｃのみを対象とする施錠用ドライブ信号を出力する。
【００２７】
さらに、戸内側壁面に固定される操作ハンドル装置１１のベース体１１ａには、サムターン装置２１が装着される。サムターン装置２１は、施解錠方向に回転操作可能であり、解錠方向への回転により第１、第２のデッドボルト７ｂ、７ｃの双方を解錠位置に移動させることができる。これに対し、サムターン装置２１への施錠操作は、第１のデッドボルト７ｂのみを対象に行われ、室内側からの施錠操作により撮影許可スイッチ３が投入されないように配慮される。
【００２８】
また、戸内側壁面に固定される操作ハンドル装置１１のベース体１１ａには、戸内側に開口する記憶メディア装着部（装着部１３）が形成される。この実施の形態において、デジタル撮影部５での撮影画像はメモリカード（可搬型記憶媒体１２）に格納するように形成されており、記憶メディア装着部１３は、メモリカード用ソケットとして構成される。後述するデジタル撮影部５をビデオカメラとして構成する場合には、録画時間を考慮してテープ媒体を使用することが可能で、この場合は、テープ読み取り装置が配置される。
【００２９】
６は扉本体１に固定されるバッテリ２２からの給電を受けて作動する認証装置である。この実施の形態において認証装置６は、指紋の照合により玄関ドアに対する操作権限を認証する指紋認証装置であり、扉本体１の戸外側壁面に固定される。指紋認証装置６は、予め登録された利用者の指紋情報と、扉本体１の壁面に露出する図外の指紋取得部からの取得情報とを比較し、一致している場合に認証成立信号を、不一致の場合には認証不成立信号をコントロール回路１７に出力する。
【００３０】
コントロール回路１７は、上記指紋認証装置６からの認証成立信号を受領すると解錠用ドライブ信号を出力し、第１、第２のデッドボルト７ｂ、７ｃ双方を解錠状態に移行させる。
【００３１】
２は呼び鈴を作動させるための操作ボタン（呼び鈴操作部２）であり、扉内配線１６を経由してコントロール回路１７の状態監視部２０に接続される。上記呼び鈴からの扉内配線１６は、引き出し配線２３を経由して扉本体１外に引き出され、室内の適宜箇所に設置したインターフォン装置等に接続される。
【００３２】
さらに、操作ボタン２の近傍にはスピーカ２４とマイク２５とが固定され、コントロール回路１７に接続される。スピーカ２４は、コントロール回路１７の警告メッセージ格納部３２に格納された「ただいまからドア前の撮影を開始します。」等の音声ファイルの再生音を出力する。また、マイク２５は訪問者による伝言の録音に使用され、コントロール回路１７は、所定タイミングでマイク２５からの入力音声を音声ファイルにして上記メモリカード１２に録音する。
【００３３】
図３に示すように、扉本体１の戸内外壁面にはスコープ筒２６が対向位置に固定され、スコープ用透孔９が形成される。扉本体１の戸外壁面に固定されるスコープ筒２６のスコープ用透孔９は透明な蓋部材３０により閉塞されるとともに、戸内壁面に固定されるスコープ筒２６にはレンズ２７が固定され、各々、ナット２８、２８を使用して扉本体１に固定される。
【００３４】
２９はミラー保持筒であり、直杆部２９ａの中心部から直交部２９ｂを分岐させてＴ形継手状に形成される。このミラー保持筒２９の直杆部２９ａと直交部２９ｂとの境界にはプリズム嵌合穴２９ｃが開設され、ハーフプリズム１０、あるいはキューブ形ビームスプレッダが嵌合、固定される。
【００３５】
ハーフプリズム１０は、入射光の一部を透過し、残部を反射する反射層１０ａを有して形成され、入射光を透過光と透過光に対して直交する反射光とに分割する。このハーフプリズム１０は、入射光と透過光の光軸が直杆部２９ａの中心軸に一致し、かつ反射光の光軸が直交部２９ｂの中心軸に一致する姿勢でプリズム嵌合穴２９ｃに保持される。
【００３６】
以上のように構成されるミラー保持筒２９は、直杆部２９ａの両端をスコープ筒２６に回転自在に挿入して扉本体１に取り付けられ、直交部２９ｂにデジタル撮影部５が連結される。この実施の形態において、デジタル撮影部５は、電子シャッタ制御回路等のカメラ制御回路５ａ、およびイメージセンサ５ｂを実装した実装基板５ｃ上に導光筒５ｄを一体に固定して形成されるデジタルスチルカメラで、導光筒５ｄには、ピンホール、あるいは集光レンズ５ｅが配置されて光学系が構成される。
【００３７】
このデジタル撮影部５は、導光筒５ｄをミラー保持筒２９の直交部２９ｂにスライド自在に挿入した状態で、適宜のブラケット３１を介して扉本体１内に固定され、扉内配線１６を介してコントロール回路１７の撮影制御部４に接続される。
【００３８】
したがってこの実施の形態において、玄関ドアの装着は、蝶番１４を使用して扉本体１をドア枠１５ａに連結するとともに、呼び鈴に接続される扉本体１外への引き出し配線２３を戸内側のインターフォン配線に接続して行われる。
【００３９】
組み込まれた玄関ドアが施錠状態にあるとき、戸外側からは指紋認証装置６を使用して、戸内側からサムターン装置２１を使用して解錠状態に移行させることができる。これら双方の解錠操作により、第１、第２双方のデッドボルト７ｂ、７ｃは扉本体１内に没入し、扉本体１への拘束が解除される。
【００４０】
一方、解錠状態から施錠状態への移行操作は、戸内側からは、解錠操作時と同様にサムターン装置２１への操作により行われるが、サムターン装置２１への施錠操作によっては、第１のデッドボルト７ｂのみが施錠位置に駆動され、第２のデッドボルト７ｃは解錠位置に留まる。また、戸外側からの施錠操作は、操作ハンドル装置１１への操作により行われ、コントロール回路１７が操作ハンドル１１ｂの上方への回転を検知すると、電気錠７を駆動して第１、第２のデッドボルト７ｂ、７ｃを施錠位置に移動させ、さらに、撮影許可フラグをセットする。
【００４１】
上述したデジタル撮影部５における撮影の可否は、上記撮影許可フラグと、呼び鈴操作ボタン２への押下状態により決定される。すなわち、まず、図５に示すように、コントロール回路１７が呼び鈴操作ボタン２の押下を検出すると（ステップＳ１）、撮影許可フラグがセットされているか否かを判定する（ステップＳ２）。
【００４２】
ステップＳ２で撮影許可フラグがリセット状態の場合には、在室中で撮影の必要はないと考えられるために、呼び鈴操作ボタン２検出状態に復帰する。これに対し、ステップＳ２でセット状態の撮影許可フラグが検出された場合には、警告メッセージ格納部３２内の録画警告用の音声ファイルを再生した後（ステップＳ３）、撮影制御部４に撮影開始信号を出力する（ステップＳ４）。
【００４３】
撮影開始信号を受領したデジタル撮影部５は、予め設定された時間間隔で所定回数、電子シャッタを開成してイメージセンサ５ｂ上の画像を出力し、出力画像は、上述したメモリカード１２に格納される。メモリカード１２は、必要に応じてメモリカード用ソケット１３から取り外され、パソコン等の画像再生装置を使用して格納画像が再生される。また、指紋認証装置６が認証不成立信号の送信、あるいは認証成立信号を送信しない場合に、指紋認証装置６により取得した指紋の画像データを取得時間等の時間データとともにメモリカード１２に格納することもできる。  
【００４４】
以上のようにしてデジタル撮影部５による撮影が終了すると、コントロール回路１７は警告メッセージ格納部３２内の伝言を促すメッセージを再生した後（ステップＳ５）、マイク２５を使用した録音が行われる（ステップＳ７）。録音時間は、コントロール回路１７のタイマ回路３３によりセットされ（ステップＳ６）、録音時間が経過すると（ステップＳ８）、呼び鈴操作ボタン２検出状態に復帰する。録音された音源は、上述したメモリカード１２に格納され、必要に応じて再生される。
【００４５】
なお、以上において、呼び鈴の操作ボタン２は引き出し配線２３を介して扉本体１外部の配線に接続される場合を示したが、施工等を容易にするために、例えば、操作ボタン２の押下信号を扉本体１の端面とドア枠１５ａとの対面位置に設置されるフォトカプラにより伝達することができる。
【００４６】
さらに、扉本体１からの配線の引き出しが容易な場合には、デジタル撮影部５等を給電用の引き出し配線２３により引き込んだ商用電源により駆動することができる。
【００４７】
図６に本発明の第２の実施の形態を示す。なお、以下の実施の形態の説明において、上述した実施の形態と実質的に同一の構成要素は図中に同一符号を付して説明を省略する。
【００４８】
この実施の形態は、デジタル撮影部５の撮影タイミングを指紋認証装置６の認証動作に関連付けるもので、扉本体１には、指紋認証装置６と、この指紋認証装置６における認証成立を条件に施解錠操作される電気錠７が固定される。電気錠７は、扉本体１の表裏面に固定される操作ハンドル装置１１により操作されるラッチ７ａと、コントロール回路１７の錠駆動部１９により施解錠操作されるデッドボルト７ｄとを有する。
【００４９】
この実施の形態において、操作ハンドル装置１１は、ラッチ７ａの解除操作と、玄関ドアの開閉操作時における手掛けとしてのみ使用され、電気錠７は、操作ハンドル１１ｂ層への操作を要することなく自動施錠される。すなわち、コントロール回路１７は、図外の扉センサにより閉扉状態を検出するとタイマ回路３３による計時動作を開始し、所定時間経過後に錠制御部に施錠用ドライブ信号を出力する。
【００５０】
施錠状態において指紋認証装置６による認証が行われ、認証が成立すると、電気錠７へが解錠駆動されるのに対し、認証装置６から認証不成立信号が出力され、あるいはコントロール回路１７が認証成立信号を受信しなかった場合、コントロール回路１７は、まずスピーカ２４から上述した警告メッセージを発呼させ、次いで、撮影制御部４に撮影開始信号を出力する。
【００５１】
図７に本発明の第３の実施の形態を示す。この実施の形態は、デジタル撮影部５における撮影タイミングを人感センサ８の出力に関連付けるもので、扉本体１の戸外側壁面には赤外線センサ等からなる人感センサ８が固定される。コントロール回路１７が人感センサ８からの人検出信号を検出すると、タイマ回路３３により計時動作を開始し、人感センサ８がタイマ終了まで人検出信号を継続して出力しているか否かを判定する。
【００５２】
人感センサ８による継続的な人検出信号の出力をコントロール回路１７が検出すると、コントロール回路１７は、撮影制御部４に撮影開始信号を出力してデジタル撮影部５における撮影が開始される。
【００５３】
なお、この実施の形態において、人感センサ８は扉本体１に固定する場合を示したが、玄関ドア周辺に配置することもできる。この場合、扉本体１には人感センサ８の出力を検出する検出部が配置される。人感センサ８は、所定タイミングで検出信号を外部に出力する必要があり、一般に消費電力が高くなる。人感センサ８を扉本体１外に配置することにより、該人感センサ８を商用電源で駆動することが可能になり、バッテリ２２のもちをよくすることができる。
【００５４】
なお、以上においては、撮影した画像等を可搬型記憶媒体１２に保存する場合を例にとったが、戸内の適宜箇所に設置したサーバ装置に記憶部を配置し、この記憶部に保存することもできる。この場合、サーバの記憶部の記憶容量は、可搬型記憶媒体１２に比べて多くすることができる。また、撮影画像データ、認証装置６の認証結果データ、指紋データ、扉の開閉ログデータ等を格納してセキュリティの向上を図ることができる。
【００５５】
サーバー装置との通信には、引き出し配線２３等を使用しても、無線を使用しても良い。無線を使用する場合には、情報の漏出を防ぐために、適宜の暗号化処理が行われる。
【図面の簡単な説明】
【００５６】
【図１】本発明の玄関ドアを戸外側から見た状態を示す図である。
【図２】本発明の玄関ドアを戸内側から見た状態を示す図である。
【図３】スコープ用透孔を示す図で、（ａ）は図１（ａ）の３Ａ方向矢視図、（ｂ）は図１（ａ）の３Ｂ-３Ｂ線断面図である。
【図４】本発明のブロック図である。
【図５】撮影に関するフローチャートである。
【図６】第２の実施の形態を示す図である。
【図７】第３の実施の形態を示す図である。
【符号の説明】
【００５７】
１        扉本体
２        呼び鈴の操作部
３        撮影許可スイッチ
４        撮影制御部
５        デジタル撮影部
６        認証装置
７        電気錠
８        人感センサ
９        スコープ用透孔
１０      ハーフプリズム
１１      操作ハンドル装置
１２      可搬型記憶媒体
１３      装着部
【図１】
2009044614.tif 000003
【図２】
2009044614.tif 000004
【図３】
2009044614.tif 000005
【図４】
2009044614.tif 000006
【図５】
2009044614.tif 000007
【図６】
2009044614.tif 000008
【図７】
2009044614.tif 000009